(57)【特許請求の範囲】
【請求項１】
受枠と、
該受枠の内側に突出し、先端に受載部を有し、中央に蝶番挿通孔を有する蝶番座と、
該蝶番座の蝶番挿通孔に挿通された軸部を有し、下端に抜け止め片が形成され、上端にヘッド部が形成された蝶番と、
下側に揺動可能に取付けられた前記蝶番を介して、前記受枠に対して開閉可能に取付けられる蓋本体と
を備えた地下構造物用蓋において、
前記蝶番の軸部は、縦断面において湾曲している湾曲面を含む凹部を有し、
前記蝶番座の受載部は、前記蝶番挿通孔に臨む側の上面の少なくとも一部が、前記湾曲面に倣って形成され、
前記蝶番のヘッド部には前記蝶番座の受載部に当接可能な突出部が形成され、該突出部は前記凹部の湾曲面と同様な湾曲面を有することを特徴とする地下構造物用蓋。
【請求項２】
前記蝶番は、前記蓋本体が前記受枠内に収まった状態の閉位置と、前記抜け止め片が前記蝶番座に接触して前記受枠の内側方向に延びた状態の開位置との間で移動可能であり、
前記蓋本体が蝶番側に押されることにより前記蝶番の軸部が前記蝶番座の受載部に沿って摺動しながら下降し、
前記受載部が前記凹部に入り込んで前記蝶番が前記受載部を回転軸として回転するとともに前記蓋本体の上面が前記受枠の上面に対して略平行状態を維持したまま移動し、
前記凹部が前記受載部から離れて前記蓋本体の上面が前記受枠の上面に対して略平行状態のまま落下することにより、
前記蝶番のヘッド部に形成された前記突出部が前記受載部の上面に接触し、前記突出部の湾曲面が前記受載部の上面の一部に形成された湾曲面と摺接して前記蝶番が閉位置となることを特徴とする請求項１に記載の地下構造物用蓋。
【請求項３】
前記蝶番のヘッド部には、左右の少なくともいずれか一方に延出した突出片を有し、
前記蓋本体の下側には前記突出片と当接可能な受け片が形成され、
前記突出片と前記受け片が当接した状態で前記蝶番は前記受枠の上面に対して略垂直姿勢となる
ことを特徴とする請求項１又は２に記載の地下構造物用蓋。
【請求項４】
前記蓋本体は、前記蓋本体を受枠に収める際に、前記受枠の上面と接するガイド部を有し、
該ガイド部は、前記蓋本体の上面に対して略平行な下面を有していることを特徴とする請求項１〜３のいずれか１項に記載の地下構造物用蓋。
【請求項５】
前記ガイド部の下面又は前記受枠の上面には、前記ガイド部の移動を規制するための係止部が設けられていることを特徴とする請求項４に記載の地下構造物用蓋。
【請求項６】
前記ガイド部は、前記蓋本体に対して前記蝶番が取付けられた側と反対側の前記蓋本体の下側に露出して設けられ、前記蓋本体の中心から放射状に延び、前記蝶番と前記蓋本体の中心とを結ぶ中心線に対して対称となるように形成されていることを特徴とする請求項４又は５に記載の地下構造物用蓋。
【発明の詳細な説明】
【技術分野】
【０００１】
本発明は、マンホール等の開口部に設置される地下構造物用蓋に関する。
なお、本明細書でいう「地下構造物用蓋」とは、下水道における地下埋設物、地下構造施設等と地上とを通じる開口部を閉塞する大型鉄蓋、マンホール蓋、汚水桝蓋、電力・通信における地下施設機器や地下ケーブル等を保護する開閉可能な共同溝用鉄蓋、送電用鉄蓋、配電用鉄蓋、上水道やガス配管における路面下の埋設導管及びその付属機器と地上とを結ぶ開閉扉としての機能を有する消火栓蓋、制水弁蓋、仕切弁蓋、空気弁蓋、ガス配管用蓋、量水器蓋等を総称する。
【背景技術】
【０００２】
マンホール等の開口部に設置される地下構造物用蓋は、蓋本体と受枠とからなり、具体的には、この蓋本体が、蝶番を介して開閉可能に受枠に取付けられている（例えば特許文献１及び２参照）。従来、蓋本体を開く場合には、蓋本体の外周縁一端に設けられたバール孔に開閉バールを差し込んで蓋本体と受枠との食い込みを解除し、蝶番の抜け止め片が受枠の蝶番座に係止される状態まで蓋本体を斜め上方（具体的には作業者の手前側）に引き出した後、蓋本体を、蝶番を軸として１８０°水平旋回させるか、蝶番を支点として蓋本体を上方に持ち上げて１８０°垂直反転させていた。そして、蓋本体を閉めるときには上記と逆の動作を行い、作業者が蓋本体を斜め下方向（蝶番がある側の方向）に押し込んで受枠に収めていた。
【０００３】
しかしながら、蓋本体を斜め下方向に押し込んで閉めようとすると、蓋本体の蝶番側が大きく受枠内に落ち込み、そのまま蓋本体が受枠に嵌り込んでしまう場合があった。そうすると、蓋本体を完全に受枠内に収めることができない事態が生じ、作業者は再び蓋本体を斜め上方に引き出し、閉め直していた。このことは、操作の煩雑及び作業効率の低下を招いていた。また、上述したような蓋本体の一方の端部のみが収められた状態で無理に押し込むと、蓋本体が斜めの状態で受枠内に嵌ったり、蓋本体を無理に押し込むことにより、蓋本体の蝶番側が受枠からずり上がってしまったりする。このことは、蓋本体と受枠とで段差を生じさせることになり、歩行者のつまづきを招いたり、段差上を車両が通過することによって蓋本体のさらなるずり上がりを招くことがあった。
【０００４】
このような段差を除くため、蓋本体が受枠に対して斜めに嵌ってしまった場合には、蓋本体の周縁部を叩いて調整していたが、この調整がされない場合、そのままの状態で歩行者や車両の通行が再開されてしまう。
【先行技術文献】
【特許文献】
【０００５】
【特許文献１】実公昭５７−５８２９６号公報
【特許文献２】特開２００１−３５５２５２号公報
【発明の概要】
【発明が解決しようとする課題】
【０００６】
本発明は、上記従来技術を考慮したものであり、蓋本体を閉めた場合に、蓋本体と受枠とで段差が発生することを防止し、受枠に対して蓋本体を水平状態にして確実に収めることができる地下構造物用蓋を提供することを目的とする。
【課題を解決するための手段】
【０００７】
前記目的を達成するため、本発明では、受枠と、該受枠の内側に突出し、先端に受載部を有し、中央に蝶番挿通孔を有する蝶番座と、該蝶番座の蝶番挿通孔に挿通された軸部を有し、下端に抜け止め片が形成され、上端にヘッド部が形成された蝶番と、下側に揺動可能に取付けられた前記蝶番を介して、前記受枠に対して開閉可能に取付けられる蓋本体とを備えた地下構造物用蓋において、前記蝶番の軸部は、縦断面において湾曲している湾曲面を含む凹部を有し、前記蝶番座の受載部は、前記蝶番挿通孔に臨む側の上面の少なくとも一部が、前記湾曲面に倣って形成され、前記蝶番のヘッド部には前記蝶番座の受載部に当接可能な突出部が形成され、該突出部は前記凹部の湾曲面と同様な湾曲面を有することを特徴とする地下構造物用蓋を提供する（請求項１）。
【０００８】
好ましくは、前記蝶番は、前記蓋本体が前記受枠内に収まった状態の閉位置と、前記抜け止め片が前記蝶番座に接触して前記受枠の内側方向に延びた状態の開位置との間で移動可能であり、前記蓋本体が蝶番側に押されることにより前記蝶番の軸部が前記蝶番座の受載部に沿って摺動しながら下降し、前記受載部が前記凹部に入り込んで前記蝶番が前記受載部を回転軸として回転するとともに前記蓋本体の上面が前記受枠の上面に対して略平行状態を維持したまま移動し、前記凹部が前記受載部から離れて前記蓋本体の上面が前記受枠の上面に対して略平行状態のまま落下することにより、前記蝶番のヘッド部に形成された前記突出部が前記受載部の上面に接触し、前記突出部の湾曲面が前記受載部の上面の一部に形成された湾曲面と摺接して前記蝶番が閉位置となる（請求項２）。
【０００９】
好ましくは、前記蝶番のヘッド部には、左右の少なくともいずれか一方に延出した突出片を有し、前記蓋本体の下側には前記突出片と当接可能な受け片が形成され、前記突出片と前記受け片が当接した状態で前記蝶番は前記受枠の上面に対して略垂直姿勢となる（請求項３）。
【００１０】
好ましくは、前記蓋本体は、前記蓋本体を受枠に収める際に、前記受枠の上面と接するガイド部を有し、該ガイド部は、前記蓋本体の上面に対して略平行な下面を有している（請求項４）。
【００１１】
好ましくは、前記ガイド部の下面又は前記受枠の上面には、前記ガイド部の移動を規制するための係止部が設けられている（請求項５）。
【００１２】
好ましくは、前記ガイド部は、前記蓋本体に対して前記蝶番が取付けられた側と反対側の前記蓋本体の下側に露出して設けられ、前記蓋本体の中心から放射状に延び、前記蝶番と前記蓋本体の中心とを結ぶ中心線に対して対称となるように形成されている（請求項６）。
【発明の効果】
【００１３】
請求項１の発明によれば、蝶番座の受載部は蝶番挿通孔に臨む側の上面の少なくとも一部が、蝶番に形成された凹部の湾曲面に倣っているため、蝶番座の受載部が凹部に当接し、蝶番が蝶番座の受載部を中心に回動することになる。したがって、蝶番が回動している間、蓋本体はそのままの姿勢で横方向（受枠の上面に対して平行方向）に移動する。これにより、蓋本体が受枠に対して斜め下方向に向かって入り込むことを防止できる。蝶番がある程度回動して蝶番が受枠の上面に対して略垂直姿勢になると、凹部が蝶番座の受載部から離れる。このとき、蓋本体が横方向に移動した後であるので、受枠に対して略平行状態のまま受枠に向けて落下し、蝶番のヘッド部に形成した突出部が蝶番座の受載部に当接することで、突出部の湾曲面が受載部の上面の一部に形成された湾曲面に摺接し、蓋本体が最終的に閉められる。よって、蓋本体を閉めた場合に、蓋本体と受枠とが斜めに嵌りこんで段差が発生することを防止し、受枠に対して蓋本体を略平行状態のまま確実に収めることができる。
【００１４】
請求項２の発明によれば、蓋本体を受枠内に収めて閉める場合、すなわち蝶番を閉位置に移動させる場合に蝶番の凹部が蝶番座の受載部に入り込んで蝶番が回動している間は蓋本体を受枠に対して略平行状態のまま移動させることができる。そして、そのままの状態で凹部が受載部から離れることで蓋本体を受枠に対して落下することにより、蝶番のヘッド部に形成した突出部が蝶番座の受載部に当接することで、突出部の湾曲面が受載部の上面の一部に形成された湾曲面に摺接し、最終的に、蝶番を閉位置に移動させることができる。このため、蓋本体を閉めた場合に、蓋本体と受枠とが斜めに嵌りこんで段差が発生することを防止し、受枠に対して蓋本体を略平行状態にして確実に収めることができる。
【００１５】
請求項３の発明によれば、突出片と受け片が当接した状態で、蝶番の回動は規制される。このとき、受枠の上面に対して略垂直姿勢にある蝶番は、突出片と受け片を当接させて回動は規制されているが、さらに蝶番を横方向（受枠の外周方向）に移動させることができ、これに伴い蓋本体も受枠に対して略平行方向に移動させることができる。
【００１６】
請求項４の発明によれば、蓋本体を受枠の上面に沿ってガイド部を介して受枠に対して平行に移動させることができ、上述した蝶番の回動動作と相俟って、確実に蓋本体を受枠に対して平行に移動させることができる。
【００１７】
請求項５の発明によれば、ガイド部の下面又は受枠の上面には、ガイド部の移動を規制するための係止部が設けられているため、地下構造物用蓋が傾斜した路面に設置されている場合であっても、蓋本体がその自重により受枠の上面に沿って受枠内に滑り落ちることを防止できる。
【００１８】
請求項６の発明によれば、蓋本体が受枠に対して左右に少しずれた位置にあっても、放射状に形成されたガイド部が蓋本体を所定位置に導き、蓋本体を適切な状態にて受枠に収めることができる。すなわち、蝶番が開位置にあるときに、平面視で見て蓋本体の中心線とこの中心線に対応する受枠の中心線とが一致していない場合であっても、蓋本体が受枠に沿って移動する際に放射状に形成されたガイド部により両中心線が一致する方向に導かれる。このため、蓋本体を閉める作業が容易となる。
【図面の簡単な説明】
【００１９】
【図１】本発明に係る地下構造物用蓋の概略図である。
【図２】蝶番を蓋本体に取付けたときの一部概略断面図である。
【図３】蝶番の概略斜視図である。
【図４】蓋本体の概略底面図である。
【図５】蓋本体の概略右側面図である。
【図６】蓋本体が受枠に収まっていく状態を順番に示した概略断面図である。
【図７】蓋本体が受枠に収まっていく状態を順番に示した概略断面図である。
【図８】蓋本体が受枠に収まっていく状態を順番に示した概略断面図である。
【図９】蓋本体が受枠に収まっていく状態を順番に示した概略断面図である。
【図１０】蓋本体が受枠に収まっていく状態を順番に示した概略断面図である。
【図１１】蓋本体が受枠に収まっていく状態を順番に示した概略断面図である。
【図１２】蓋本体が受枠に収まっていく状態を順番に示した概略断面図である。
【図１３】補助バール孔近傍の概略断面図である。
【図１４】受枠に蓋本体が収められたときの一部概略断面図である。
【発明を実施するための形態】
【００２０】
図１に示すように、本発明に係る地下構造物用蓋１は、略円盤形状の蓋本体２と、この蓋本体２が収まる略円環形状の受枠３とを備えている。
【００２１】
受枠３は、マンホール等の開口部に設置され、受枠３の上面３aを露出させて埋設される。蓋本体２は、蝶番４を介して開閉可能に受枠３に取付けられている。図２及び図３を参照すれば明らかなように、蝶番４は下端において左右方向に抜け止め片５が突出して設けられている。また、蝶番４の上端にはヘッド部６が形成されている。ヘッド部６には左右方向に延びる回転軸７が形成されている。この回転軸７を介して蝶番４は蓋本体２の下側に揺動可能に取付けられる。具体的には、蓋本体２の裏面側には略箱体形状の軸受け体１０が設けられ、この軸受け体１０に回転軸７を軸支させて取付けられる。
【００２２】
一方で、上述した受枠３の内周面には、中心方向に突出して蝶番座８が設けられている。この蝶番座８は、上下方向に貫通する蝶番挿通孔８aを形成しており、蝶番４の軸部９はこの蝶番挿通孔８aに挿通され、抜け止め片５を蝶番挿通孔８aの長手方向と交差する方向に位置させることで蝶番４が蝶番座８から抜けてしまうことは防止され、両者は連結される。これにより、軸部９が蝶番挿通孔８a内を挿通しながら移動することで、蓋本体２は受枠３に対して開閉動作される。
【００２３】
蝶番４の軸部９には凹部１１が形成されている。この凹部１１は、左右幅方向にわたって軸部９の前側から後側に向けて凹んで形成されている。蓋本体２が受枠３内に収まったときの軸部９が蝶番座８の蝶番挿通孔８a内に挿通された状態で説明すると、蝶番座８の受載部８ｂ側から蝶番挿通孔８a側に向けて左右幅方向にわたって凹んで形成されている。軸部９を長手方向に切断した縦断面において、凹部１１の内面は湾曲している。すなわち、凹部１１は湾曲面を有している。また、蝶番座８の受載部８ｂは、蝶番挿通孔８aに臨む側の上面の一部が、凹部１１の湾曲面に倣って、略同曲率に形成されている。
【００２４】
蝶番４のヘッド部６には、抜け止め片５と平行方向に延びる突出片１３が形成されている。図１の例では、突出片１３はヘッド部６の左右方向の両方に延出されているが、いずれか一方が延出されていればよい。一方で、蓋本体２の裏面に形成した軸受け体１０には受け片１４が形成され、この受け片１４は突出片１３と当接可能である。突出片１３と受け片１４が当接した状態（図１の状態）では、蝶番４は受枠３に対して略垂直姿勢となる。また、蓋本体２の裏面には放射状に延びるリブ１５が複数形成されていて（図１では６個のリブ）、このうちいずれかはガイド部１６として形成されている。図１の例では、ガイド部１６は、蓋本体２に対して蝶番４が取付けられた側と反対側の下側に露出して設けられ、蝶番４と蓋本体２の中心とを結ぶ中心線Ｃ（図４参照）に対して対称（図４の例では中心線Ｃに対して３０°の角度で対称）となるように形成されている。なお、ガイド部１６をリブ１５のいずれかと兼用して設けずに、リブ１５とは別に設けてもよい。さらには、ガイド部１６は、放射状に限らず、所定長さを有して延びていればどのような角度で設けられていてもよい（例えば井桁状）。
【００２５】
上記のような構造を有する地下構造物用蓋１について、その開閉動作を図６〜図１４を参照して以下に説明する。
【００２６】
図６は蓋本体２が開いた状態を示している。この状態では、蝶番４の抜け止め片５が蝶番座８に係止され、蝶番４の軸部９は受枠３の中心方向に延びている。なお、このような図６における蝶番４の状態を開位置とする。このとき、蓋本体２のガイド部１６はその下面において受枠３の蝶番座８が形成された反対側の受枠の上面３ａに接している。すなわち、蓋本体２は受枠３の上面３ａ上に載置されている。ガイド部１６の下面は蓋本体２の上面と略平行に形成されているため、この状態では蓋本体２の上面は受枠３の上面に対して略平行である。なお、ガイド部１６には下方向に突出する突起１７が形成されている。この突起１７は、蓋本体２の移動を規制する係止部としての働きを有する。具体的には、受枠の上面３ａと突起１７が係止されるので、蓋本体２は受枠３に対して平行方向（矢印Ｄ方向）に移動されない。すなわち、後述するように、蓋本体２を受枠３に収める際にはガイド部１６を受枠の上面３ａに沿って移動させるわけだが、この移動が不用意に生じることを防止できる。例えば、傾斜している路面に受枠３が設置された場合、蓋本体２が自重により受枠３内に滑り落ちることを防止できる。なお、突起１７ではなく受枠の上面３ａを受け入れ可能な大きさの溝を形成して係止部としてもよく、受枠の上面３aに係止部を形成してもよい。
【００２７】
作業者は、蓋本体２を受枠３に収める場合には、蓋本体２を矢印Ｄ方向（蝶番４が取付けられた側）に押し込む。これにより、図７に示すように、ガイド部１６の下面と受枠の上面３aが摺動し、蓋本体２が受枠３に対して略平行方向に移動する。同時に、蝶番４と蝶番座８の受載部８bが摺接し、蝶番４は斜め下方向に移動する。この移動中は、蓋本体２は若干斜め下方向に向けて移動する。このとき、蓋本体２が受枠３に対して平面視で見て左右に少しずれた位置にあっても、上述したように放射状に形成されたガイド部１６が蓋本体２を所定位置に導くことができる。すなわち、蝶番４が開位置にあるときに、平面視で見て蓋本体２の中心線Ｃとこの中心線Ｃに対応する受枠の中心線とが一致していない場合であっても、蓋本体２が受枠３に沿って移動する際にガイド部１６により両中心線が一致する方向に導かれる。このため、蓋本体２を適切な位置にて受枠３に収めることができるようになる。
【００２８】
そして、蝶番座８の受載部８ｂが蝶番４の凹部１１内に入り込む。そして、図８に示すように、蝶番４は受載部８bを中心に矢印Ｅ方向に回動する。この回動動作は、凹部１１の湾曲面と受載部８bの蝶番挿通孔８aに臨む上面とが摺接することにより生じる。すなわち、蝶番座８の受載部８ｂは、蝶番挿通孔８aに臨む側の上面の一部が、凹部１１の湾曲面に倣って、略同曲率の部位を有するため、受載部８bが凹部１１の湾曲面に当接している間は凹部１１が受載部８bの蝶番挿通孔８aに臨む側の上面に沿って摺動し、蝶番４が受載部８bを中心に回動することになる。この回動動作中は、蓋本体２はそのままの姿勢で横方向（矢印Ｄ方向）に移動する。これにより、蓋本体２が受枠３に対して斜め下方向に向かって入り込むことを防止できる。上述したように、蓋本体２は受枠３の上面３ａに沿ってガイド部１６を介して受枠３に対して平行に移動するので、蝶番４の回動動作と相俟って、確実に蓋本体２は受枠３に対して平行に移動させることができる。
【００２９】
そして、ある程度蝶番４が回動すると、上述した蝶番４の突出片１３が軸受け体１０の受け片１４に突き当たる。この状態になって、蝶番４の矢印Ｅ方向への回動は規制され、蝶番４は上述した略垂直姿勢となる。この略垂直姿勢にて、凹部１１の上端縁１１ａにおける湾曲面に対する接線Ｑは受枠３に対して平行若しくは受枠の中心方向に向けて斜め上方に延びている（図８では若干斜め上方に向けて延びている）。したがって、この状態での蝶番４は、回動は規制されているが凹部１１は受載部８bに対して横方向（矢印Ｄ方向）に離れることが可能である。このため、図９に示すように、蓋本体２は矢印Ｄ方向に押し込まれているため、凹部１１が受載部８ｂから離れ、蝶番４は横方向（矢印Ｄ方向）に移動される。このときにおいても、蓋本体２は受枠３に対して略平行状態を維持したまま移動している。
【００３０】
そして、図１０に示すように、蓋本体２が落下し始める。このときは、蓋本体２が横方向にある程度移動した後であるので、受枠３のほぼ真上に蓋本体２を配置している。そして、蓋本体２は受枠３に対して略平行状態のままであるため、そのまま受枠３に向けて落下する。よって、蓋本体２を閉めた場合に、蓋本体２と受枠３とで段差が発生することを防止し、受枠３に対して蓋本体２を略平行状態のまま確実に収めることができる。なお、開閉バールで蓋本体２を少し持ち上げながら受枠内に押し込むため、図１０に示すとおり、蓋本体２は若干傾いた状態で落下するが、本発明で言う略平行状態とは、このように蓋本体２が若干傾いた状態も含まれる。
【００３１】
そして、図１１に示すように、蝶番４のヘッド部６に形成された突出部１８が蝶番座８の受載部８ｂに当接する。具体的には、突出部１８はヘッド部６の受載部８ｂ側に向けて突出して設けられていて、この突出部１８が蝶番４の落下に伴い受載部８ｂの上面に接触する。この突出部１８も凹部１１と同様な湾曲面が形成されている。したがって、以降はこの突出部１８の湾曲面が受載部８ｂと摺接する。これにより、最終的に蓋本体２が正確な位置で受枠３に収まるようにガイドされる。
【００３２】
そして、図１２に示すように、突出部１８が受載部８ｂに沿って移動するとともに、蓋本体２が受枠３内に収まる。このときの蝶番４の位置を閉位置とする。したがって、蓋本体２が開いた状態から受枠３内に収まる状態まで移動すると、蝶番４が開位置から閉位置に移動することになる。
【００３３】
このように、蓋本体２を受枠３内に収めて閉める場合、すなわち蝶番４を開位置から閉位置に移動させる場合に、凹部１１に蝶番座８の受載部８ｂが入り込み、蝶番４が受載部８ｂを中心に回動するので、蓋本体２の上面を受枠３の上面に対して略平行状態のまま横方向に移動させることができる。そして、そのままの状態で凹部１１が受載部８ｂから離れることで蓋本体２を受枠３に対してほぼ真上から落下させることができるため、蓋本体２を閉めた場合に、蓋本体２と受枠３とで段差が発生することを防止し、受枠３に対して蓋本体２を略平行状態として確実に収めることができる。
【００３４】
蓋本体２を開けるときは、上記と逆の手順となるが、蓋本体２を最初に引き上げる際、作業者は開閉バール等の工具を用いる。開閉バールは蓋本体２の外周縁の一箇所に設けられたバール孔１９に開閉バールを挿し込んで引き上げる。また、中心線Ｃを挟んで６０°の角度の位置に中心線Ｃに対して対称に補助バール孔２３が設けられている（図４参照）。この補助バール孔２３の下側には、図１３に示すように、外側に向けて突出する突出部２０がそれぞれ形成されている。このような突出部２０があることにより、蓋本体２が受枠３からずり上がることを防止できる。この突出部２０は、中心線Ｃを挟んで６０°の角度の位置に中心線Ｃに対して対称に設けることが最も効果的である。また、図１４に示すように、突出部２０が形成された以外の蓋本体２の下側周縁部２１は、受枠３の受枠本体３bの下面２２よりも下側に延びている。これによっても、蓋本体２が受枠３からずり上がることを防止できる。
【００３５】
一方で、上述した蓋本体２のガイド部１６の下面を傾斜させてもよい。具体的には、ガイド部１６の下面が蓋本体２の中心線Ｃから外側に向けて蓋本体の上面方向に傾斜させる。このようにすれば、蓋本体２が受枠３に対して平面視で見て左右に少しずれた位置にあるとき、すなわち蝶番４が開位置にあるときに、平面視で見て蓋本体２の中心線Ｃとこの中心線Ｃに対応する受枠の中心線とが一致していない場合であっても、蓋本体２が受枠の上面３aに沿って移動する際にガイド部１６により両中心線が一致する方向に導かれる。このため、蓋本体２を適切な位置にて受枠３に収めることができるようになる。さらにこの効果を高めるため、ガイド部１６の下面の傾斜角度を蓋本体２の中心に向けて徐々に大きくしてもよい。
【符号の説明】
【００３６】
１  地下構造物用蓋
２  蓋本体
３  受枠
３ａ  受枠の上面
３ｂ  受枠本体
４  蝶番
５  抜け止め片
６  ヘッド部
７  回転軸
８  蝶番座
８ａ  蝶番挿通孔
８ｂ  受載部
９  軸部
１０  軸受け体
１１  凹部
１３  突出片
１４  受け片
１５  リブ
１６  ガイド部
１７  突起（係止部）
１８  突出部
１９  バール孔
２０  突出部
２１  蓋本体の下側周縁部
２２  枠本体の下面
２３  補助バール孔
【図１】
0005424420.tif 000002
【図２】
0005424420.tif 000003
【図３】
0005424420.tif 000004
【図４】
0005424420.tif 000005
【図５】
0005424420.tif 000006
【図６】
0005424420.tif 000007
【図７】
0005424420.tif 000008
【図８】
0005424420.tif 000009
【図９】
0005424420.tif 000010
【図１０】
0005424420.tif 000011
【図１１】
0005424420.tif 000012
【図１２】
0005424420.tif 000013
【図１３】
0005424420.tif 000014
【図１４】
0005424420.tif 000015